(57)【特許請求の範囲】
【請求項１】
回転周面にブラシ１をロール軸２方向に対して傾斜させて形成し被選別物を受けてロール軸２方向へ搬送する左右一対のブラシローラ３，４と、前後一対の支持ローラ５及びこの支持ローラ５間に位置して相対的に上下動する選別皿６を無端体７に配置したウエイトサイザー８とからなり、このウエイトサイザー８は、前記無端体７に沿って配置の各取付ブラケット１７の左右両側部に上下方向の案内穴２０を形成して、この案内穴２０に前記支持ローラ５の軸２１の両端部を上下動自在に嵌合案内し、この取付ブラケット１７に対して上下回動自在に連結された上下一対の平行リンク２２、及びこの平行リンク２２端のリンクヒッチ２４に形成の転倒ピン２６を介して、前記選別皿６を支持して所定高さ昇降自在に設けると共に、この転倒ピン２６の周りに左側Ｌ、又は右側Ｒに転倒回動する構成として、該ブラシローラ３、４の終端から受継する被選別物を支持ローラ５間に受けて搬送しながら途中で選別皿６へ受けさせて計量すると共に、この選別皿６を選別位置で横側へ転倒させて選別排出することを特徴とする果実等の選別装置。
【請求項２】
前記無端体７に沿って配置の各取付ブラケット１７の前後に支持ローラ５と選別皿６とを取付けて、これら支持ローラ５と選別皿６を前後交互にして無端状に連続して配置し、この無端体７の各取付ブラケット１７に取り付けられる支持ローラ５と選別皿６との間において、前記選別皿６の前後には適宜幅に切込む皿溝９を形成し、支持ローラ５にはこの皿溝９と齟齬して嵌合させるロール溝１０を形成し、前記無端体７の前後回転方向に並ぶ前後一対の各支持ローラ５間に支持して搬送する果実Ｂを、これら支持ローラ５と選別皿６との相対的上下動によって、選別皿６の上面に載せ替えることを特徴とする請求項１に記載の果実等の選別装置。
【請求項３】
前記無端体７に沿って配置の各取付ブラケット１７の前後に支持ローラ５と選別皿６とを取付けて、これら支持ローラ５と選別皿６を前後交互にして無端状に連続して配置し、この無端体７の各取付ブラケット１７に取り付けられる支持ローラ５と選別皿６との間において、前記支持ローラ５は中央部の回転径を小さくし、選別皿６は中央部を窪ませた形態として、前記無端体７の前後回転方向に並ぶ前後一対の各支持ローラ５間に支持して搬送する果実Ｂを、これら支持ローラ５と選別皿６との相対的上下動によって、選別皿６の上面に載せ替えることを特徴とする請求項１、又は２に記載の果実等の選別装置。
【請求項４】
前記無端体７に沿って配置の各取付ブラケット１７の前後に支持ローラ５と選別皿６とを取付けて、これら支持ローラ５と選別皿６を前後交互にして無端状に連続して配置し、この無端体７の各取付ブラケット１７に取り付けられる支持ローラ５と選別皿６との間において、前記選別皿６の前後には適宜幅に切込む皿溝９を形成し、支持ローラ５にはこの皿溝９と齟齬して嵌合させるロール溝１０を形成し、前記無端体７の前後回転方向に並ぶ前後一対の各支持ローラ５と、これら支持ローラ５間に位置する選別皿６との相対的上下動によって、この前後一対の支持ローラ５間に支持して搬送する果実Ｂを、これら支持ローラ５と選別皿６との相対的上下動によって、選別皿６の上面に載せ替えると共に、前記選別皿６は、支持ローラ５が下動位置にあるとき左右へ転倒可能で、上動位置にあるときは転倒不能に規制されることを特徴とする請求項１、２、又は３に記載の果実等の選別装置。
【発明の詳細な説明】
【発明の属する技術分野】
この発明は、果実等の選別を行う選別装置に関するものである。被選別物として柑橘類や、りんご、かき等の果実はもとより、芋類等のような球形状の野菜類の選別装置として利用できる。選別は主として重量域毎に選別する重量選別として利用される。
【０００２】
【従来の技術】
ウエイトサイザー形態の選別装置では、果実等をこのウエイトサイザーに供給するためのコンベアや、シュータ等の煩雑で大きい装置を伴うことが多く、一般的には大規模な選果装置として利用されることが多い。
【０００３】
【発明が解決しようとする課題】
個人農家の庭先で果実等の選別を行う小規模形態の選別装置では、作業場、選別場建屋等の場所的制約を受け易い。このため、この発明は選別装置をできるだけ小型化するもので、全長を短かくして、幅を狭くし、しかも小人数による選別処理作業乃至操作の行い易いものとするものである。
【０００４】
【課題を解決するための手段】
請求項１に記載の発明は、回転周面にブラシ１をロール軸２方向に対して傾斜させて形成し被選別物を受けてロール軸２方向へ搬送する左右一対のブラシローラ３，４と、前後一対の支持ローラ５及びこの支持ローラ５間に位置して相対的に上下動する選別皿６を無端体７に配置したウエイトサイザー８とからなり、このウエイトサイザー８は、前記無端体７に沿って配置の各取付ブラケット１７の左右両側部に上下方向の案内穴２０を形成して、この案内穴２０に前記支持ローラ５の軸２１の両端部を上下動自在に嵌合案内し、この取付ブラケット１７に対して上下回動自在に連結された上下一対の平行リンク２２、及びこの平行リンク２２端のリンクヒッチ２４に形成の転倒ピン２６を介して、前記選別皿６を支持して所定高さ昇降自在に設けると共に、この転倒ピン２６の周りに左側Ｌ、又は右側Ｒに転倒回動する構成として、該ブラシローラ３、４の終端から受継する被選別物を支持ローラ５間に受けて搬送しながら途中で選別皿６へ受けさせて計量すると共に、この選別皿６を選別位置で横側へ転倒させて選別排出することを特徴とする果実等の選別装置の構成とする。
【０００５】
ブラシローラ３，４やウエイトサイザー８等の一連の選別ラインを駆動することにより、このブラシローラ３，４の谷間部に供給された果実は、これらのブラシローラ３，４の摩擦回転を受けながらこのブラシ１の傾斜による移送力にともなってロール軸２方向へ移動される。このブラシローラ３，４の谷間部の軸方向端部からは、このロール軸２に沿う方向へ回転移行されるウエイトサイザー８の始端部に供給される。このウエイトサイザー８の始端部では支持ローラ５が、選別皿６よりも上位にあって、ブラシローラ３，４から供給される果実を受けて搬送しながら、この支持ローラ５上に支持している果実を搬送方向に沿って回転する。この搬送の途中ではこの支持ローラ５が選別皿６よりも下方へ下動されて果実が選別皿６に載せられる。選別皿６はこの搬送にともなって更に計量と選別作用を受けて左右のいずれか一側の選別位置へ転倒され、載置の果実を指定の選別位置へ排出させる。このようなブラシロール３，４上面や支持ローラ５上面で回転される果実に色付度合や、変形、損傷、汚れ等があるときは、作業者はこれらのブラシローラ３，４や、支持ローラ５上を監視していてこの果実を直接手で選別ライン外へ取除いたり、取出選別することができる。
【０００６】
請求項２に記載の発明は、前記無端体７に沿って配置の各取付ブラケット１７の前後に支持ローラ５と選別皿６とを取付けて、これら支持ローラ５と選別皿６を前後交互にして無端状に連続して配置し、この無端体７の各取付ブラケット１７に取り付けられる支持ローラ５と選別皿６との間において、前記選別皿６の前後には適宜幅に切込む皿溝９を形成し、支持ローラ５にはこの皿溝９と齟齬して嵌合させるロール溝１０を形成し、前記無端体７の前後回転方向に並ぶ前後一対の各支持ローラ５間に支持して搬送する果実Ｂを、これら支持ローラ５と選別皿６との相対的上下動によって、選別皿６の上面に載せ替えることを特徴とするものである。
前記ウエイトサイザー８の搬送行程において、選別皿６と支持ローラ５とは相対的に上下動しながら、選別ラインの初期行程では支持ローラ５上に支持して回転させていた果実を、選別皿６上面に載せ替えて計量、及び選別を受けさせる。このとき選別皿６の皿溝９と支持ローラ５のロール溝１０とは齟齬して嵌合された状態にあって、選別皿６の前後の支持ローラ５の間隔を狭くして果実を支持する。
【０００７】
請求項３に記載の発明は、前記無端体７に沿って配置の各取付ブラケット１７の前後に支持ローラ５と選別皿６とを取付けて、これら支持ローラ５と選別皿６を前後交互にして無端状に連続して配置し、この無端体７の各取付ブラケット１７に取り付けられる支持ローラ５と選別皿６との間において、前記支持ローラ５は中央部の回転径を小さくし、選別皿６は中央部を窪ませた、前記無端体７の前後回転方向に並ぶ前後一対の各支持ローラ５間に支持して搬送する果実Ｂを、これら支持ローラ５と選別皿６との相対的上下動によって、選別皿６の上面に載せ替えることを特徴とするものである。
ウエイトサイザー８の支持ローラ５は選別ラインの始端部では選別皿６よりも上位置にあって回転状態にあり、ブラシローラ３，４の軸方向端部から供給される果実を受けて回転させる。この供給される果実は、支持ローラ５の回転周面が中央部で小径に形成されているため、中央部に寄り易く、選別皿６の中央部への受継も行われ易くする。
【０００８】
請求項４に記載の発明は、前記無端体７に沿って配置の各取付ブラケット１７の前後に支持ローラ５と選別皿６とを取付けて、これら支持ローラ５と選別皿６を前後交互にして無端状に連続して配置し、この無端体７の各取付ブラケット１７に取付けられる支持ローラ５と選別皿６との間において、前記選別皿６の前後には適宜幅に切込む皿溝９を形成し、支持ローラ５にはこの皿溝９と齟齬して嵌合させるロール溝１０を形成し、前記無端体７の前後回転方向に並ぶ前後一対の各支持ローラ５と、これら支持ローラ５間に位置する選別皿６との相対的上下動によって、この前後一対の支持ローラ５間に支持して搬送する果実Ｂを、これら支持ローラ５と選別皿６との相対的上下動によって、選別皿６の上面に載せ替えると共に、前記選別皿６は、支持ローラ５が下動位置にあるとき左右へ転倒可能で、上動位置にあるときは転倒不能に規制されることを特徴とするものである。
ウエイトサイザー８では、搬送行程で選別皿６に対して支持ローラ５が上動位置から下動位置に移動する。この支持ローラ５が上動位置にあるときは果実を載せて回転させるが、選別皿６はこの支持ローラ５によって横側への反転を阻止される。支持ローラ５が下動位置になると果実は選別皿６上面に載せ替えられて、計量、選別作用を受ける状態となり、選別時にはこの支持ローラ５による規制は解除されて一側の選別位置へ転倒される。
【０００９】
【発明の効果】
請求項１に記載の発明は、ブラシロール３，４による果実の搬送は、このロール軸２の方向に行われて、ウエイトサイイザー８による搬送方向と同一直線状態に行われて、しかも、これらのブラシロール３，４上面での果実の回転方向と支持ローラ５上面での果実の回転方向とが異なるため、果実の表面の露出監視域を広くでき、選別性を高めることができる。また、果実の搬送行程を短かくし、装置の設置幅を狭くして、コンパクトな構成とすることができる。
更には、前記前後一対の支持ローラ５間の上面の果実Ｂを、この支持ローラ５による支持位置から、直下の選別皿６への載せ替えは、前記支持ローラ５を選別皿６に対して直下方向へ下動させることによって、果実をＢを回転させないで、静かに、円滑に、安定した姿勢に行わせることができる。
【００１０】
請求項２に記載の発明は、ウエイトサイザー８の各選別皿６と支持ローラ５とは交互に配置されるが、これらの皿溝９とロール溝１０とが齟齬して嵌合されるため、これらの前後の配置間隔を小さく設定して、前後一対の支持ローラ３，４間における果実の支持、回転を行い易くして、この支持位置から直下の選別皿６への載せ替えを静かに、円滑に、安定した姿勢に行わせることができる。
【００１１】
請求項３に記載の発明は、果実を支持して回転させる支持ローラ５は中央部の回転径が小さいため、果実の支持面を広くして安定した支持、回転を行わせることができ、支持ローラ５の幅を狭くしてコンパクト化を図り、選別皿６の中央部への載せ替供給を的確に行わせることができ、計量を正確に行わせることができる。
【００１２】
請求項４に記載の発明は、支持ローラ５が選別皿６の上方位置にあるときは、選別作用の行われない選別皿６がこの支持ローラ５によって安定支持され、支持ローラ５が選別皿６の下方位置にあるときのみ側方へ転倒できて、載置する果実を排出させることができて、正確な計量、選別排出を行わせることができ、構成を簡潔化できる。
【００１３】
【発明の実施の形態】
この発明の実施例を図面に基づいて説明する。この果実等の選別装置は、果実等をブラッシングしながら供給する左右一対のブラシローラ３，４と、無端体７に沿って配置されて回転移動されるウエイトサイザー８とから構成される。このうちブラシローラ３，４は、ローラコア１１の周面に植設のブラシ１がロール軸２の方向に適宜の傾斜角度Ａにして設定される。このブラシ１の傾斜Ａによってロール軸２が水平状に軸受けされていても、載置する果実Ｂを傾斜Ａ方向のロール軸２方向にわたって搬送することができる。この一対のブラシローラ３，４は同方向へ回転するよう無端体で連動する。
【００１４】
このブラシローラ３，４のブラシ１は、一般には比較的硬い、ナイロンブラシや、植物繊維ブラシ等からなり、一定本数毎束ねて、ロールコア１１の周面に形成のブラシ穴に差し込んで植付けた形態とするが、このような毛ブラシ形態に代えて、比較的大きい突子形態に成形した構成とすることもできる。この突子形態とするときは、ゴム材、乃至合成樹脂材からなり、ローラコア１１の周面に前記と同様の傾斜角度Ａにして一体成形することができる。
【００１５】
ウエイトサイザー８は、ブラシローラ３，４の搬送方向端下部から前方にわたって水平状に設けられ、これらブラシローラ３，４の始端からウエイトサイザー８の終端にわたって平面視で略一直線状の選別ラインが構成される。図例ではこれらブラシローラ３，４とウエイトサイザー８とからなる選別ラインは、左右に二条に配置された形態としている。
【００１６】
ウエイトサイザー８は、チエンからなる無端体７に沿って支持ローラ５と選別皿６とを交互に配置した形態である。チエンリンク１２と、１３は長さを異にして前後交互にしてリンクピン１４で連結されて、無端体状にして前後両端部をスプロケット１５，１６に掛けわたす。短かいチエンリンク１２は各スプロケット１５，１６の二歯毎のピッチに咬合され、長いチエンリンク１３は三歯毎のピッチに咬合される形態として、２対３の割合のリンクピッチに設定されている。
【００１７】
ウエイトサイザー８は、取付けブラケット１７の下部に左右一対の差込ソケット１８を有し、このソケット１８を各短かいチエンリンク１２の外側に嵌合することによって取付けることができる。このソケット１８の内側には抜止突子１９が形成されていて、チエンリンク１２に嵌合したときは、このソケット１８を外側へ開かない限り抜け外れない形態としている。
【００１８】
この取付けブラケット１７の左右両側部には上下方向の案内穴２０が形成されて、支持ローラ５の軸２１の両端部を上下動自在に嵌合して案内させる。この支持ローラ５の下部には上下一対の平行リンク２２が、後端を取付けブラケット１７に対してリンクピン２３で支持される。この平行リンク２２の前端にはリンクヒッチ２４がリンクピン２５で回動自在にして連結され、このリンクヒッチ２４の前側に突出する転倒ピン２６の周りに選別皿６下部のアームプレート２７のボス部２８が左右回動自在に嵌合支持される。
【００１９】
選別皿６はこの平行リンク２２の上下動によって所定高さ昇降自在であると共に、転倒ピン２６の周りに正面視で左側Ｌ、又は右側Ｒに転倒回動して（図６）、この選別皿６上面に載せる果実Ｂを側方へ排出することができる。このアームプレート２７には左右両外側方に上下一対スライダー２９，３０が設けられ、中央部には左右円弧状の案内穴３１が形成される。この案内穴３１の中央部上には凹状のノッチ３２を形成して、取付ブラケット１７から前側へ突出する規制ピン３３上に係合することができる。
【００２０】
これら上側のスライダー２９は、ウエイトサイザー８が選別搬送行程の戻り行程で無端体７の下側に垂れ下るとき、フレーム３８に取付けたガイドレール３４に摺接支持させて、このウエイトサイザー８が上下に揺動するを防止する。又、下側のスライダー３０は、選別搬送行程でロードセル３５に摺接させて重量を計量させたり、選別位置の左右一側の転倒ガイド３６に摺接させてこの選別皿６を側方へ選別転倒させるものである。この選別皿６の転倒は案内穴３１が規制ピン３３に規制案内されて、転倒角度が規制される。選別皿６を直立状の中立位置に保持するときは、ノッチ３２が規制ピン３３上に係合されて、大きい外力が働かない限り側方への転倒は行われない。従って、上記選別位置での転倒は、一側の転倒ガイド３６によるスライダー３０の押上力が、この規制ピン３３とノッチ３２との係合抵抗に抗して働くことによって行われる。
【００２１】
前記選別皿６は、中央部を窪ませて果実Ｂを支持し易くし、安定させることができる。この選別皿６の前後には適宜幅及び深さの皿溝９を形成して、この皿溝９部に支持ローラ５部を嵌合させることができる。又、支持ローラ５には、この選別皿６を嵌合させるロール溝１０を形成する。又、この支持ローラ５の回転周面は中央部が小径となるように鼓形に形成されて、回転上面に果実Ｂを安定して支持できる。
【００２２】
この選別皿６の前後の支持ローラ５が図４のように案内穴２０の上端部に位置したときは、選別皿６の皿溝９部に嵌合した状態で上方に突出した形態となり、前後の支持ローラ５間の上側に果実Ｂを支持することによって、この果実Ｂの下面は選別皿６から浮上された状態となる。又、支持ローラ５が図５のように案内穴２０の下端部に位置したときは、皿溝９とロール溝１０との嵌合は外れて、支持ローラ５の上面は選別皿６の下側に退避されて、前後の支持ローラ５間の上面に支持されていた果実Ｂは、下降に伴って選別皿６の中央部上面に静かに載せ替えられる。
【００２３】
このようなウエイトサイザー８の支持ローラ５の昇降と回転を行わせるガイドレール３７が、選別ラインの始端側左右両側部においてフレーム３８に支持させて設けられる。このガイドレール３７は、前記ブラシローラ３，４の終端下位から前方の適宜の位置の間にわたって、左右両側部の支持ローラ５の最も回転径の大きいローラ外縁部を支持案内する。この支持ローラ５がガイドレール３７に摺動案内されることによって摩擦回転されて、選別皿６上方に位置して支持する果実Ｂを回転することができる（図４）。
【００２４】
このガイドレール３７の前側においてロードセル３５が設けられ、さらに前方に転倒ガイド３６が配置される。ロードセル３５は左右のスライダー３０を支持することによって果実Ｂを受けた選別皿６の重量を測定して、コントローラを介して選別位置の転倒ガイド３６をスライダー３０の摺接しうる位置に電磁ソレノイド３９により作動させることができる。このため選別以外の位置の転倒ガイド３６はスライダー３０の通る領域位置から横側に退避した状態にある。これらロードセル３５や転倒ガイド３６等は、フレーム３８側の部材に取付けて支持させている。
【００２５】
左右一対のブラシローラ３，４を同じ方向へ回転させると共に、無端体７を回転させてウエイトサイザー８を駆動することにより、このブラシローラ３，４間の上側に果実Ｂを供給することによって選別を行わせることができる。この果実Ｂは、ブラシローラ３，４間の谷間部上では回転によるブラッシングを受けると共に、この果実Ｂ自体がブラシローラ３，４の谷間部で同方向へ摩擦回転されながら、ブラシ１の傾斜Ａによって軸方向前方へ移動される。
【００２６】
このブラシローラ３，４の先端部から送り出される果実Ｂは、ウエイトサイザー８に供給される。このウエイトサイザー８の始端行程では、前記無端体７の回転によって牽引される取付けブラッケット１７における支持ローラ５が、ガイドレール３７によって案内されて選別皿６よりも上側に位置していて摩擦回転されている。このため、該果実Ｂはこの前後の支持ローラ５の上に載せられて搬送されながら、この搬送方向に沿った方向に回転され、前記ブラシローラ３，４による回転面とは異なる果実面が表わされる。このとき選別皿６は皿溝９部がロール溝１０と交差した状態にあるために、横方向へ転倒されようとしても支持案内されて、果実を受けていないこの選別皿６は、転倒が防止されて安定した姿勢に維持される。
【００２７】
この支持ローラ５がガイドレール３７の終端から外れると案内穴２０に案内されて自重で下動されて、支持していた果実Ｂを選別皿６面に載せる。ここでアームプレート２７の左右のスライダー３０がロードセル３５上面に摺動して果実Ｂを載せた選別皿６の重量が計量される。このロードセル３５からコントローラへの入力によって重量選別域毎の選別位置が指定されて、この指定選別位置の転倒ガイド３６がコントローラからのソレノイド３９出力により作動される。この計量された果実Ｂの選別皿６がこの作動された転倒ガイド３６の位置にくると、スライダー３０がこの転倒ガイド３６に摺動案内されて押し上げられ、選別皿６はアームプレート２７と一体的に転倒ピン２６の周りに回動されて、転倒ガイド３６と反対側へ転倒される。これによって選別皿６上の果実Ｂが横側の選別位置に排出される。この各選別位置には容器、ホッパー、シューター、又は取出コンベア等が配置されて選別果実Ｂの取出を受ける。
【００２８】
このようにして、いずれかの転倒ガイド３６や、選別ラインの最終端部で果実Ｂを排出させたウエイトサイザー８は、スプロケット１６部から下側の戻りの行程で、アームプレート２７の左右両側のスライダー２９がガイドレール３４に支持されて、これら選別皿６や支持ローラ５等を有する取付けブラケット１７が無端体７に吊り下がった状態にあっても上下搖動が防止される。
【００２９】
前記のように、ブラシローラ３，４や、ウエイトサイザー８の支持ローラ５の上部で支持回転されながら搬送される果実Ｂは、選別作業者が監視していて、選別外品を直接手で取出すことができる。
【図面の簡単な説明】
【図１】  選別装置一部の平面図と、そのブラシローラ部の拡大図。
【図２】  その側面図。
【図３】  その各種ガイドの配置側面図と、その一部の拡大正面図。
【図４】  そのウエイトサイザー部の側面図と、正面図。
【図５】  その一部の作動状態を示す側面図と、正面図。
【図６】  その一部の作動状態を示す正面図。
【符号の説明】
１  ブラシ
２  ロール軸
３  ブラシローラ
４  ブラシローラ
５  支持ローラ
６  選別皿
７  無端体
８  ウエイトサイザー
９  皿溝
１０  ロール溝
【図１】
0004802416.tif 000002
【図２】
0004802416.tif 000003
【図３】
0004802416.tif 000004
【図４】
0004802416.tif 000005
【図５】
0004802416.tif 000006
【図６】
0004802416.tif 000007